(57)【要約】      （修正有）【課題】布地の温度が上昇した場合に布地の電気抵抗値が低下し、布地の温度が低下した場合に布地の電気抵抗値が上昇する現象を利用した面状センサー及び布ヒータを提供する。【解決手段】複数のループ２０が導電糸１０によって形成され、複数の導電糸１０がループ２０同士を絡み合わせて編み込まれた布地２からなり、電流が導電糸１０に流れて布地２の温度が上昇して隣り合う導電糸１０の絡み合いの形態が変化し、布地２を流れる電流経路が短縮されるか、又はループ同士の接触が増して布地２の電気抵抗値が低下する面状センサー及び布ヒータ。【選択図】図２
2018128402.tif 000002
【特許請求の範囲】
【請求項１】
複数のループが導電糸によって形成され、複数の前記導電糸が前記ループ同士を絡み合わせて編み込まれた布地からなり、電流が前記導電糸に流れて前記布地の温度が上昇して隣り合う前記導電糸の絡み合いの形態が変化し、前記布地を流れる電流経路が短縮されるか、又は前記ループ同士の接触が増して前記布地の電気抵抗値が低下する、ことを特徴とすることを特徴とする面状センサー。
【請求項２】
前記電流の流れる方向が、導電糸ごとに形成された複数の前記ループが連なるコース方向である、請求項１に記載の面状センサー。
【請求項３】
前記導電糸は、芯線の外周に金属導体が被覆されてなるフィラメント線が、複数撚り合わせて構成されている、請求項１又は２に記載の面状センサー。
【請求項４】
前記布地にはコントローラが接続され、該コントローラは前記布地の電気抵抗値を検知する検知手段と、該検知手段により検知された電気抵抗値に基づいて、前記布地に印加する電圧を低げ若しくは増すか、又は電圧の印加を停止若しくは開始する制御手段と、を備えている、請求項１〜３のいずれか１項に記載の面状センサー。
【請求項５】
複数のループが導電糸によって形成され、複数の前記導電糸が前記ループ同士を絡み合わせて編み込まれた布地と、電極糸によって構成され、前記布地に間隔を空けて設けられた電極部と、を備え、電流が前記導電糸に流れて前記布地の温度が上昇することに伴って、隣り合う前記導電糸の絡み合いの形態が変化し、前記布地を流れる前記電流の経路が短縮されるか、又は前記ループ同士の接触が増して前記布地の電気抵抗値が低下する、ことを特徴とする布ヒータ。
【発明の詳細な説明】
【技術分野】
【０００１】
本発明は、面状センサー及び布ヒータに関し、さらに詳しくは、導電糸で編まれた面状センサー及び布ヒータに関する。
【背景技術】
【０００２】
自由に伸縮する布ヒータは、市場での需要が増している。本出願人は、市場での需要に応えるために布ヒータの研究を進めてきた。特許文献１で提案した布ヒータは、本出願人が研究を進めてきた経過でなし得たものであり、布地に電極部を設けたものである。布地は、導電糸で複数のループを形成し、隣り合う導電糸のループ同士を絡めるように編まれている。電極部は、電極糸で構成され、布地に間隔を空けて設けられている。電極糸は、導電糸が、繊維からなる芯線と、その芯線の表面を被覆する金属層又は金属箔とで構成されている第１の形態と、１又は複数の導電性素線を少なくとも有した集合線で構成されている第２の形態とに大別することができる。
【先行技術文献】
【特許文献】
【０００３】
【特許文献１】国際公開ＷＯ２０１３／０８５０５１号
【発明の概要】
【発明が解決しようとする課題】
【０００４】
本出願人は、上記の布ヒータの性質についてさらに研究を進めてきたところ、編み物からなる布ヒータでは、布地の温度が上昇した場合に布地の電気抵抗値が低下し、布地の温度が低下した場合に布地の電気抵抗値が上昇することを見出した。一般に、金属は、温度が上昇すると電気抵抗値は上昇し、温度が低下すると電気抵抗値も低下する。ところが、上記の布ヒータでは、こうした技術常識とは全く正反対の現象を示した。本出願人は、技術常識とは正反対の現象を示す布ヒータについて鋭意研究を進め、その現象を利用して本発明を完成させた。
【０００５】
本発明の目的は、布地の温度が上昇した場合に布地の電気抵抗値が低下し、布地の温度が低下した場合に布地の電気抵抗値が上昇する現象を利用した面状センサー及び布ヒータを提供することにある。
【課題を解決するための手段】
【０００６】
（１）本発明に係る面状センサーは、複数のループが導電糸によって形成され、複数の前記導電糸が前記ループ同士を絡み合わせて編み込まれた布地からなり、電流が前記導電糸に流れて前記布地の温度が上昇して隣り合う前記導電糸の絡み合いの形態が変化し、前記布地を流れる電流経路が短縮されるか、又は前記ループ同士の接触が増して前記布地の電気抵抗値が低下することを特徴とする。
【０００７】
この発明によれば、布地の温度が上昇した場合は、導電糸の絡み合いの形態が変化し、布地を流れる電流経路が短縮されるか、又はループ同士の接触が増して布地の電気抵抗値が低下する。逆に、布地の温度が下がった場合は、隣り合う導電糸の絡み合いの形態が元に戻り、電流経路が長くなるか、又はループ同士の接触が少なくなって布地の電気抵抗値が増す。その結果、別途にセンサーを用いることなく、布地自体が電気抵抗値のセンサーとして機能する。
【０００８】
本発明に係る面状センサーにおいて、前記電流の流れる方向が、導電糸ごとに形成された複数の前記ループが連なるコース方向である。
【０００９】
この発明によれば、電流の流れる方向が、前記導電糸ごとに形成された複数のループが連なるコース方向なので、隣り合う導電糸の間でループ同士が接触したときに、電流経路が短縮して電流がバイパスし、電気抵抗が下がる。
【００１０】
本発明に係る面状センサーにおいて、前記導電糸は、芯線の外周に金属導体が被覆されてなるフィラメント線が、複数撚り合わせて構成されている。
【００１１】
この発明によれば、導電糸として、芯線の外周に金属導体が被覆されてなるフィラメント線が複数撚り合わせて構成されているものを用いるので、布地を伸縮自在に構成することができ、伸縮自在な面状センサーとなる。
【００１２】
本発明に係る面状センサーにおいて、前記布地にはコントローラが接続され、該コントローラは前記布地の電気抵抗値を検知する検知手段と、該検知手段により検知された電気抵抗値に基づいて、前記布地に印加する電圧を低げ若しくは増すか、又は電圧の印加を停止若しくは開始する制御手段と、を備えている。
【００１３】
この発明によれば、上記のように、布地の電気抵抗値を検知する検知手段と、布地に印加する電圧を低げ若しくは増すか、又は電圧の印加を停止若しくは開始する制御手段とを備えているので、布地の温度が所定温度になって電気抵抗値が下がって電流の流れがよくなったときに、温度が上がりすぎないように制御することができる。一方、布地の温度が下がりすぎて電気抵抗値が上がったときは、電流を流して温度を上げるように制御することができる。そのため、面状センサーを安全装置のセンサーとして用いることができる。
【００１４】
（２）本発明に係る布ヒータは、複数のループが導電糸によって形成され、複数の前記導電糸が前記ループ同士を絡み合わせて編み込まれた布地と、電極糸によって構成され、前記布地に間隔を空けて設けられた電極部と、を備え、電流が前記導電糸に流れて前記布地の温度が上昇することに伴って、隣り合う前記導電糸の絡み合いの形態が変化し、前記布地を流れる前記電流の経路が短縮されるか、又は前記ループ同士の接触が増して前記布地の電気抵抗値が低下することを特徴とする。
【００１５】
この発明によれば、布地の温度が上昇した場合は、導電糸の絡み合いの形態が変化し、布地を流れる電流経路が短縮されるか、又はループ同士の接触が増して布地の電気抵抗値が低下する。逆に、布地の温度が下がった場合は、隣り合う導電糸の絡み合いの形態が元に戻り、電流経路が長くなるか、又はループ同士の接触が少なくなって布地の電気抵抗値が増す。その結果、別途にセンサーを用いることなく、布地自体を電気抵抗値のセンサーとして機能させた布ヒータとすることができる。
【発明の効果】
【００１６】
本発明によれば、布地の温度上昇に伴い布地の電気抵抗値が低下するという特異的な現象に基づいて、布地の温度が所定の温度以上に上昇しないようにしたり、あまり下がりすぎないように利用することができる面状センサーを提供することができる。また、そうした布地を面状センサーとして機能させた布ヒータを提供することができる。
【図面の簡単な説明】
【００１７】
【図１】本発明に係る面状センサーを作用させるシステムモデルを示す構成図である。
【図２】面状センサーの布地を構成する導電糸の編み目をモデル的に示した拡大図である。
【図３】導電糸をモデル的に示した図面であり、（Ａ）は導電糸を構成するフィラメント線の拡大断面図であり、（Ｂ）は、導電糸をモデル的に示した斜視図である。
【図４】布地の温度の上昇に伴い導電糸に形成されたループの絡み合いの形態が変化することを説明するための説明図である。
【図５】ループの絡み合いの形態が変化することに伴い、電流が流れる経路が変化することを説明するための説明図である。
【図６】布地の温度と電気抵抗値との関係をモデル的に示すグラフである。
【図７】布地の温度と電気抵抗値との関係を測定した結果を示すグラフである。
【発明を実施するための形態】
【００１８】
以下、図面を参照しながら本発明の実施形態について説明する。なお、本発明は、以下に説明する実施形態及び図面に記載した形態と同じ技術的思想の発明を含むものであり、本発明の技術的範囲は実施形態の記載や図面の記載のみに限定されるものでない。
【００１９】
［基本構成］
本発明に係る面状センサー１は、複数のループ２０が導電糸１０によって形成され、複数の導電糸１０がループ２０同士を絡み合わせて編み込まれた布地２で構成されている。面状センサー１は、電流が導電糸１０に流れて布地２の温度が上昇することに伴って隣り合う導電糸１０の絡み合いの形態が変化し、その布地２を流れる電流経路が短縮されるか、又はループ２０同士の接触が増して布地２の電気抵抗値が低下する。また、本発明に係る布ヒータ１Ａは、複数のループ２０が導電糸１０によって形成され、複数の導電糸１０がループ２０同士を絡み合わせて編み込まれた布地２と、電極糸によって構成され、布地２に間隔を空けて設けられた電極部３と、を備えている。布ヒータ１Ａは、電流が導電糸１０に流れて布地２の温度が上昇することに伴って布地２を構成する導電糸１０の絡み合いの形態が変化し、布地２を流れる電流経路が短縮されるか、又はループ２０同士の接触が増して布地２の電気抵抗値が低下する。
【００２０】
こうした面状センサー１及び布ヒータ１Ａにおいて、布地２は、金属層１２又は金属箔で被覆されたフィラメント線１５を撚り合わせた導電糸１０の編み物である。そうした布地２では、フィラメント線を被覆する金属層１２又は金属箔の電気抵抗を利用して発熱させている。
【００２１】
金属は、温度が上昇すると電気抵抗は大きくなる。この技術常識に基づけば、温度が上昇すれば金属層１２又は金属箔の電気抵抗も当然大きくなって電流が流れ難くなり、布地２の温度は低下することになる。また、温度が下がれば金属層１２又は金属箔の電気抵抗も当然小さくなって電流が流れ易くなり、布地２の温度は上昇することになる。ところが、導電糸１０を上記のように編み込んだ布地２は、電圧を印加して温度が上昇すると、驚くべきことに布地２の電気抵抗が低下し、一方、電圧の印加をやめて温度が下がると布地２の電気抵抗が高くなった。この現象は、温度が上昇すると布地２が収縮し、隣り合う導電糸１０のループ２０同士の接触が増して、電流経路が短縮され、温度が下がると布地２の収縮が元に戻り、隣り合う導電糸１０のループ２０同士の接触が少なくなって、電流経路が元のように長くなることに基づいていると推察した。本発明は、布地２の温度が上昇した場合に布地２の電気抵抗値が低下し、布地２の温度が低下した場合に布地２の電気抵抗値が上昇する現象を利用したものであり、布地２の温度が所定の温度以上に上昇しないようにしたり、布地２の温度が下がりすぎないように利用することができる面状センサー１を提供するものである。
【００２２】
従来公知のサーミスタや温度ヒューズを薄く柔らかい布地２に用いると、大きさや固さの違和感があると共に、サーミスタや温度ヒューズが衝撃や屈折等で破損するおそれがある。しかし、本発明に係る面状センサー１及び布ヒータ１Ａは、布地自体がセンサーとして機能するので、薄く柔らかい布地２を用いた場合に布地２に固体物を取り付ける必要がなく、使用時に違和感がない。また、衝撃や屈折等で破壊するおそれもない。さらに、サーミスタのように一点の温度だけを検知するものではなく、布地全体の電気抵抗値を検知するものである。
【００２３】
以下、本発明に係る面状センサー１及び布ヒータ１Ａの具体的な構成について説明する。なお、面状センサー１と布ヒータ１Ａの基本的な構成は同じなので、以下では、面状センサー１を例に説明する。
【００２４】
［面状センサーの構成例］
図１は、面状センサー１を作用させるシステムモデルの構成例を示している。この構成例の面状センサー１は、１枚の布地２と、布地２に一定の間隔を空けて設けられた電極部３とを有している。電極部３には、電圧を印加すると共に印加電圧を制御するコントローラ５が配線４により接続されている。電極部３は、布地２の２箇所に設けられている。２箇所に設けられた電極部３同士は、所定の間隔を空けて設けられている。ただし、センサーの機能を阻害しなければ、電極部３は２箇所以上に設けることもできる。こうした電極部３は、例えば、電極糸を縫い込んで形成する。布地２に電極糸を縫い込んで電極部３形成する場合、その電極部３は、布地２の伸縮に追従して自在に変形するように、例えば電極糸を飾り縫いという縫い方で形成されることが好ましい。電極糸を飾り縫いして電極部３を形成した場合、電極部３は、布地２の伸縮に応じて変形する。こうした電極部３は、布地２に固定的に取り付けられるが、それに限定されず、布地２に対して着脱可能に設けることもできる。
【００２５】
＜布地＞
面状センサー１を構成する布地２は、編物である。編物は、一般に、糸に複数のループ２０を連ねて形成し、隣り合う複数の糸のループ２０同士を絡めて構成される。面状センサー１は、図２に示すように、導電糸１０にループ２０を連ねて形成し、隣り合う複数の導電糸１０のループ２０同士を絡めて構成された編物である。
【００２６】
導電糸１０の編み方は特に限定されず、横編みで導電糸１０を編み込んでもよいし、縦編みで導電糸１０を編み込んでもよい。横編みとしては、例えば、天竺編み、リブ編み（フライス編み又はゴム編みともいう。）、パール編み（リンクス編み又はガーター編みともいう）等を挙げることができる。縦編みとしては、例えば、トリコット編み、アトラス編み等を挙げることができる。導電糸１０の編み方は、面状センサー１の用途等に応じて適宜に選択すればよい。本発明は、布地２がこうした編み方で編んだ編み物であるに特徴があり、そのように編まれた布地２は、布地２の温度が上昇した場合は、導電糸１０の絡み合いの形態が変化（収縮）し、逆に、布地２の温度が下がった場合は、隣り合う導電糸１０の絡み合いの形態が元に戻る。布地２の編み方は、こうした形態変化が生じるものである必要があり、そうした形態変化が生じれば、種々の編み方を採用することができる。
【００２７】
布地２の構成としては、そうした形態変化が生じれば特に限定されず、種々の構成とすることができる。例えば、導電糸１０だけで編んだ構成、一面を導電糸１０で編み、他面を繊維糸で編んだ構成、一面を導電糸１０で編み、他面を繊維糸で編むと共に、一面と他面との間に繊維糸で編んだ中間層を設けた構成、一面と他面とを繊維糸で編み込み、一面と他面との間に導電糸１０で編み込んだ中間層を設けた構成、等を挙げることができる。また、布地２は、導電糸１０だけを編み込んでなる部分と繊維糸を編み込んでなる部分とが平面状に繋がれてなる構成にすることもできる。さらに、導電糸１０を数本編み込むごとに繊維糸を定期的又は不定期的に編み込んで構成することもできる。繊維糸としては、任意に選択されたデニールの繊維糸が用いられる。
【００２８】
＜導電糸＞
導電糸１０は、複数のフィラメント線１５が撚り合わせて構成されている。フィラメント線１５は、芯線１１と、芯線１１の外周に設けられた金属導体とで構成されている。フィラメント線１５は、図３（Ａ）に示すように、芯線１１が繊維で形成され、芯線１１の外周に金属層１２又は金属箔が設けられたものを好ましく挙げることができる。
【００２９】
繊維としては、温度上昇によって布地２が収縮して電気抵抗が低下し、温度降下によって布地２の収縮が元に戻って電気抵抗が増すという本発明特有の現象を生じさせることができる繊維が用いられる。そうした繊維であれば、合成繊維や天然繊維から任意に選択される。合成繊維としては、ポリアミド繊維やポリエステル繊維を挙げることができる。ポリアミド繊維は、例えば、ナイロン、ケプラー（登録商標）、テクニール（登録商標）等を挙げることができる。ポリエステル繊維は、例えば、テトロン（登録商標）等を挙げることができる。天然繊維についても、上記の合成繊維と同様の性質を有するものを用いることができる。繊維の中でも、ナイロンは本発明特有の現象を良好に生じさせることができるので、好ましく用いられる。
【００３０】
金属層１２は、例えば、図３（Ａ）に示すように、めっき（無電解又は電解）、蒸着、スパッタリング等で形成することができる。金属層１２の材質は特に限定されないが、銅、銅合金、銀、銀合金等が好ましい。金属箔は、帯状に加工したものが好ましく、芯線１１の外周を覆うように長さ方向に螺旋状に巻き付けられる。金属箔の材質も特に限定されず、銅や銅合金（例えば０．３質量％の錫入り銅合金）等が好ましい。導電糸１０は、金属層１２又は金属箔で覆われたフィラメント線１５が、図３（Ｂ）に示すように複数撚り合わされて構成されている。
【００３１】
＜導電糸の絡み合いの形態の変化と電流の流れの関係＞
図４（Ａ）及び図４（Ｂ）は、隣り合う導電糸１０の絡み合う形態が温度の上昇や下降に伴って変化することをモデル的に示した図である。布地２に電圧を印加しない温度上昇前の段階では、布地２を構成する導電糸１０は、図４（Ａ）に示すように、布地２を構成する隣り合う導電糸１０に形成されたループ２０同士が緩やかに絡み合っている。そのため、隣り合う導電糸１０のループ２０同士の接触が少ない。これに対し、布地２に電圧を印加した温度上昇後の段階では、布地２を構成する導電糸１０は、図４（Ｂ）に示すように、隣り合う導電糸１０のループ２０同士の接触が増す。この現象は、導電糸１０の芯線１１である繊維が温度上昇に伴って収縮し、布地２が全体的に収縮することにより起き、また、温度が下がることによって、収縮した繊維が元に戻ってし、全体的に収縮した布地２が元に戻ることにより起きる。
【００３２】
布地２に電圧を印加して布地２の温度が上昇又は下降し、隣り合う導電糸１０のループ２０同士の絡み合いの形態が変化したときに電流が流れる経路の変化について、図５を参照して説明する。
【００３３】
図５は、導電糸１０ごとに形成された複数のループ２０が一方向に連なるコース方向（図のＸ方向）に電圧を印加した場合の変化を示している。電圧を印加して間もないときは、布地２の温度はまだ上昇していない。布地２の温度が上昇していないときには、隣り合う導電糸１０のループ２０同士の絡み合いの形態が変化しておらず、隣り合う導電糸１０のループ２０同士の接触が少ない。この場合、導電糸１０を流れる電流は、図５（Ａ）に示すように、各導電糸１０の長手方向に流れる。そのため、各導電糸１０には、各導電糸１０に形成されたループ２０の長さに応じた電気抵抗値が発生する。これに対し、布地２に電圧を印加してから時間が経つにしたがって、布地２の温度が上昇する。布地２の温度が上昇した場合には、隣り合う導電糸１０のループ２０同士の絡み合いの形態が変化し、隣り合う導電糸１０のループ２０同士の接触が増す。布地２の温度が上昇した場合、導電糸１０を流れる電流は、図５（Ｂ）に示すように、温度上昇で布地２が収縮して隣り合う導電糸１０のループ２０同士の接触が増し、その接触部分で短絡して電流経路が短縮される。そのため、各導電糸１０では、各導電糸１０に形成されたループ２０の長さ分の電気抵抗値が低下する。また、隣り合う導電糸１０のループ２０同士の接触が増すことにより、布地２の電気抵抗値は低下する。その後、印加電圧を下げたり電圧印加を停止した場合は、布地２の温度が下降する。布地２の温度が下降したときは、隣り合う導電糸１０のループ２０同士の絡み合いの形態は、図５（Ｂ）の状態から図５（Ａ）に示す元の状態に戻り、隣り合う導電糸１０のループ２０同士の接触が少なくなる。この場合、導電糸１０を流れる電流は、図５（Ａ）に示すように、各導電糸１０の長手方向に流れることになる。
【００３４】
図６は、布地２の温度と導電糸１０の電気抵抗値との関係をモデル的に図示したものである。図６において、横軸は布地２の温度を表し、縦軸は導電糸１０の電気抵抗値を表している。図６は、布地２の温度を３０℃から８０℃までの範囲で変化させている。布地２の温度が３０℃から上昇し始めた段階では、導電糸１０の電気抵抗値は大きく低下する。布地２の温度が上昇するにしたがって、電気抵抗値の低下が徐々に小さくなる。その際、電気抵抗値は、連続的に減少する。このことを電気抵抗値の変化率（抵抗変化率ともいう。）でいえば、図６に示したグラフにおいて、布地２の温度が３０℃に近い温度では、グラフの接線の傾きが大きくて抵抗変化率が大きく、８０℃に近い温度では、グラフの接線の傾きが小さくて抵抗変化率が小さい。なお、温度を降下させた場合は逆の現象が起こり、電気抵抗値が高くなる。
【００３５】
以上、編み目のコース方向に電圧を印加した場合を例に説明したが、編み目のウェール方向（Ｙ方向）に電圧を印加した場合も同様、温度上昇に伴って電気抵抗値が低下し、温度降下に伴って電気抵抗値が高くなる。このことから、上記と同様の形態変化により、隣り合う導電糸１０のループ同士の接触が増して電気抵抗値が低下し、又は隣り合う導電糸１０のループ同士の接触が少なくなって電気抵抗値が大きくなると考えられる。
【００３６】
＜コントローラ＞
コントローラ５は、配線４により電極部３に接続されている。コントローラ５は、電圧を印加する電源としての機能と、布地２の電気抵抗値を検知する検知部としての機能と、印加する電圧を下げ若しくは増すか、又は電圧の印加を停止若しくは開始する制御部としての機能と、を有している。コントローラ５は、布地２の形態毎に予め測定された温度と電気抵抗値との関係に基づき、必要に応じた電圧を印加又は停止する。例えば、ＤＣ１．０Ｖ以上、ＤＣ２５Ｖ以下の範囲の電圧を印加したり、印加を停止する。
【００３７】
なお、温度の上昇や降下の際の抵抗変化率は、［電気抵抗値の変化率＝ΔΩ／ΔＴ］で表される。ΔＴは温度の変化量を表し、ΔΩは温度がΔＴだけ変化したしたときの電気抵抗値の変化量を表している。
【００３８】
コントローラ５は、布地２への印加電圧の大きさを制御すると共に、電圧を印加するか否かも制御する。この制御は、布地２の温度をどの程度の温度まで上昇させたいか、又はどの程度の温度まで下がったら加温を開始したいかにより定められる。コントローラ５は、布地２の温度が所定の温度（例えば５０℃）になったときに、布地２に印加する電圧を低下したり、電圧の印加を停止したりするように予め許容温度を設定しておき、布地２の温度が所定の温度（例えば５０℃）になったときに電圧の印加を制御する。また、布地２の温度が所定の温度まで下がったときに、布地２に印加する電圧を上げたり、電圧の印加を再開したりするように予め許容温度を設定しておき、布地２の温度が所定の温度まで下がったときに電圧の印加を制御する。
【００３９】
これらの制御は、変化した電気抵抗値又は抵抗変化率に基づいて、電圧を印加するか否かを行う。既に説明した図６のグラフに示すように、布地２の温度が上昇するにしたがって、電気抵抗値又は抵抗変化率は徐々に小さくなる。コントローラ５には記憶部があってもよく、その記憶部には、布地２に印加する電圧を低下若しくは増加させたり、又は印加電圧を停止若しくは開始させたりする電気抵抗値又は抵抗変化率が予め記憶されている。電気抵抗値又は抵抗変化率が設定した値に一致したときに、コントローラ５の制御部は、布地２に印加する電圧を低下若しくは増加させたり、又は印加電圧を停止若しくは開始する。なお、検知部は本発明の検知手段を構成し、制御部は本発明の制御手段を構成している。このように、面状センサー１は、その制御によって安全装置のセンサーとして利用することができる。
【００４０】
図１に示した構成例は、布地２を面状センサー１として機能させるためのシステムモデルを示したものである。本発明に係る面状センサー１は、例えば、スポーツウエア、スキーウエア、作業着、その他の一般的な衣類、ベッドシーツ、手袋、靴下、サポーター、マフラー、アイマスク、膝掛け、工業用ヒータ、融雪装置等に適用することができる。例えば、面状センサー１を衣類に用いる場合、面状センサー１の電極部３に小型のコントローラ５を接続させておくことができる。コントローラ５は、電極部３から衣類への電圧の印加を制御する。
【００４１】
衣類は、電圧が印加されることによって温度が上昇するので、防寒着等として用いることができる。この場合、コントローラ５は、衣類の電気抵抗値又は抵抗変化率が予め設定された値まで減少したときに、衣類の温度が設定温度に到達したと判断し、衣類への印加電圧を下げたり、電圧の印加を停止する。一方、衣類への印加電圧を下げたままであったり、電圧の印加を停止したままでは、衣類の温度が下がってしまう。その場合は、温度の低下によって電気抵抗値又は抵抗変化率が予め設定された値まで増したときに、衣類の温度が下がりすぎたと判断し、衣類への印加電圧を上げたり、電圧の印加を開始する。こうしたセンサー機能により、面状センサーとして作動させることができる。
【実施例】
【００４２】
［実験例］
＜確認実験＞
布地２の温度が上昇することに伴って布地２の電気抵抗値が低下することを確認する実験を行った。以下、実験方法及び実験結果について説明する。
【００４３】
（試験片）
本実験では、ナイロン６６に銀を被覆したフィラメント線１５を複数撚り合わせた導電糸１０を用いた。試験片には、導電糸１０とポリエステル糸とを用いた両面天竺編みの平編物を用いた。両面天竺編みの平編物は、表地が導電糸１０のみで作製された平編物で、裏地がポリエステル糸のみで作製された平編物であり、両面をつなぎ糸であるポリエステル糸で繋いだ。天竺編みの平編物のコース密度は、１４ｃｏｕｒｓｅ／ｉｎｃｈであった。網目長は１３４ｍｍであり、目付けは１８３ｇ／ｍ２であり、ゲージは１８．３Ｇであった。
【００４４】
導電糸１０は、ナイロン６６糸の表面をスパッタリングで銀被覆した糸である。ナイロン６６は原糸で７．８ｔｅｘであり、フィラメント線１５の太さは１０．２ｔｅｘである。
【００４５】
（実験方法）
実験は、試験片に電圧を印加し、試験片の温度と電気抵抗値との関係を測定した。試験片の温度は３０℃から８０℃まで上昇させ、温度が１０℃上昇するたびに電気抵抗値を測定した。電気抵抗値は、印加した電圧値と電流値に基づき算出した。電圧は、ＧＷ  ＩＮＳＴＥＫ社製のＰＳＷ３０−３６型の直流安定化電源により、１．０Ｖの一定値を印加した。
【００４６】
（実験結果）
図７に実験結果を示す。図７に示すように、温度が３０℃のとき電気抵抗値は約３．７Ωであった。温度が上昇するにしたがって、電気抵抗値は３．７Ωから徐々に低下していた。具体的には、温度が４０℃のとき電気抵抗値は約３．３Ωであり、温度が５０℃のとき電気抵抗値は約３．１Ωであり、温度が６０℃のとき電気抵抗値は約２．９Ωであり、温度が７０℃のとき電気抵抗値は約２．８Ωであり、温度が８０℃のとき電気抵抗値は約２．６Ωであった。
【００４７】
また、温度が上昇するにしたがって、電気抵抗値の低下の程度は徐々に小さくなった。すなわち、温度が上昇するに伴って、電気抵抗値の抵抗変化率が小さくなった。
【００４８】
＜比較実験＞
比較実験は、試験片に引っ張り力を与えたときの試験片の電気抵抗値の変動、試験片に圧縮力を与えたときの試験片の電気抵抗値の変動、試験片を加熱したときの試験片の電気抵抗値の変動、及び導電糸１０の熱収縮率をそれぞれ測定した。試験は、上記の確認実験と同様のものを用いた。
【００４９】
（実験方法）
（１）引っ張りによる電気抵抗値の変動
（１．１）実験方法
引っ張り試験は、温度が２５±２℃、湿度が５０±５％ＲＨの環境の下で、ＪＩＳ（ＪＡＰＡＮ  Ｉｎｄｕｓｔｒｉａｌ  Ｓｔａｎｄａｒｄｓ）  Ｌ１０９６の引っ張り強さ、及び伸び率Ａ法（ストリップ法）に準拠して行った。試験は、幅が５０ｍｍ、長さが３００ｍｍの試験辺を２００ｍｍの間隔でつかみ、引張速度を２００ｍｍ／分として、コース方向に電圧を印加して行った。引っ張りの態様は、引張伸度を１０％ずつ増加させ、各伸度で引張を一旦停止させた。そして、長さ方向に電極を取り付け、電流値を測定し、印加した電圧値と電流値とにより電気抵抗値を算出した。電圧は、確認実験と同様の電源を用いて、１．０Ｖの一定値を印加した。
【００５０】
（１．２）実験結果
引張による電気抵抗値を測定した場合、引張伸度が０％から２０％になるまでの間に、電気抵抗値は低下した。一方、引張伸度が２０％から３０％に変化するときに電気抵抗値は上昇した。引張伸度が３０％から７０％に変化する範囲では、電気抵抗値は低下した。具体的には、引張伸度が０％のときには約２．３Ωであった。引張伸度が２０％のときは約１．９５Ωであり、引張伸度が３０％のときは約２．０Ω近くまで上昇した。引張伸度が７０％のときは約１．９Ωであった。
【００５１】
（２）圧縮による電気抵抗値の変動
（２．１）実験方法
圧縮による電気抵抗の変動の実験は、温度２５±２℃、湿度５０±５％ＲＨの環境の下で、ＪＩＳ（ＪＡＰＡＮ  Ｉｎｄｕｓｔｒｉａｌ  Ｓｔａｎｄａｒｄｓ）  Ｌ１０９６．８．２０の圧縮率及び圧縮弾性率を参考にして行った。試験片は、幅が１００ｍｍ、長さが１００ｍｍである。まず、試験片を綿１００％のクッションの上に乗せ、圧縮板が試験片の中央に位置するように設置した。エアパックを試験片の表面に取り付け、エアパックで圧縮圧が０ｇｆ／ｃｍ２、５０ｇｆ／ｃｍ２、１００ｇｆ／ｃｍ２、１５０ｇｆ／ｃｍ２、２００ｇｆ／ｃｍ２とした。そのときの試験片の電流値を測定し、電流値と電圧値から電気抵抗値を算出した。電圧は、確認実験と同様の電源を用いて、１．０Ｖの一定値を印加した。
【００５２】
（２．２）実験結果
圧縮板として平板を用いた場合及び半球板を用いた場合のいずれにおいても、通電した際の電気抵抗値は、圧縮圧に関わらず、２．０Ωをやや上回る値が測定され、ほとんど変化することがなかった。
【００５３】
（３）温度変化による電気抵抗値の変動
（３．１）実験方法
実験は、ヒータで加温することができる鉄製容器の内部に試験片を置いて行った。試験片は、幅が１００ｍｍ、長さが２００ｍｍのものを用いた。実験を行ったときの環境は、温度２５±２℃、湿度５０±５％ＲＨとした。また、電極は、長さ方向の両端に設けた。こうした実験装置を用い、試験片の表面温度を３０℃から１０℃ずつ温度を上昇させ、その際の電流値を測定した。温度の上昇は、２．５℃／分で行った。また、８０℃に達した後、ヒータによる加熱を止め、試験片を自然降温させ、昇温時と同様の温度での電流値を測定した。測定した電流値及び電圧値より電気抵抗値を算出した。電圧は、確認実験と同様の電源を用いて、１．０Ｖの一定値を印加した。
【００５４】
（３．２）実験結果
試験片の温度が３０℃のとき電気抵抗値は約４Ωであり、温度が８０度のとき電気抵抗値は約３Ωであった。すなわち、試験片の温度が３０℃から８０℃まで上昇する間、電気抵抗値は約１Ω低下した。
【００５５】
（４）導電糸の熱収縮率の測定
（４．１）実験方法
この実験では長さが２００ｍｍの導電糸１０を用いた。この導電糸１０を辻井染機工業株式会社製のヒートセッター（ＰＴ−３型）により、３０℃から８０℃までの間で１０℃ずつ上昇させ、各温度で５分間加熱した。加熱後、導電糸１０の長さを測定し、次の式により熱収縮率を算出した。
【００５６】
熱収縮率（％）=［（加熱後の長さ−加熱前の長さ）／加熱前の長さ］×１００
【００５７】
（４．２）実験結果
実験の結果、導電糸１０は温度が上昇するに伴い収縮した。温度が８０℃のときに元の長さより約３％収縮した。これは、芯線として用いたナイロン６６が熱により収縮するためである。導電糸１０が収縮することに伴って電気抵抗値が低下した。電気抵抗値は、「Ｒ＝ρ×Ｌ／Ｓ」で表される．なお、Ｒは電気抵抗値（Ω）、ρは電気抵抗率（Ω・ｍ）、Ｌは導電糸１０の長さ（ｍ）、Ｓは断面積（ｍ２）である。この式より、電気抵抗値は導電糸１０の長さが収縮することに伴い低下する。
【００５８】
以上の確認実験の結果及び比較実験の結果より、布地２に電圧を印加して布地２の温度を上昇させた場合、電気抵抗が低下した。なお、布地２に外部から物理的な作用を与えた場合に比べて、電気抵抗値は大きく減少した。また、布地２に電圧を印加して布地２の温度を上昇させた場合、電気抵抗値が減少する傾向に一定の規則性があった。具体的に、布地２に電圧を印加して布地２の温度を上昇させた場合、布地２の温度が約５０℃以下の温度範囲では、５０℃を超える温度範囲に比べて電気抵抗値が減少する程度が大きいという傾向があった。減少する程度は、布地２に電圧を印加して布地２の温度を上昇させた場合、徐々に小さくなるという規則性があった。そのため、布地２を面状センサー１として良好に用いることができることが分かった。
【符号の説明】
【００５９】
１  面状センサー
１Ａ  布ヒータ
２  布地
３  電極部
４  配線
５  コントローラ
１０  導電糸
１１  芯線
１２  金属層
１５  フィラメント線
２０  ループ
【図１】
2018128402.tif 000003
【図２】
2018128402.tif 000004
【図３】
2018128402.tif 000005
【図４】
2018128402.tif 000006
【図５】
2018128402.tif 000007
【図６】
2018128402.tif 000008
【図７】
2018128402.tif 000009